(57)【要約】【課題】大盤と磁石付碁石とを用いて解説や説明を行うに際して、解説や説明の進行を円滑に進めるのに適した大盤用磁石付碁石の構成を提供すること。【解決手段】黒白いずれかの磁石付碁石の碁石部上面中央部に突起を設ける。これにより、たとえ黒白の磁石付碁石が混在していたとしても、必ずしも目視に頼ることなく触覚を利用して黒白所望の石を速やかに探り当てることができるので、大盤を使った解説や説明の進行を遅滞なく円滑に進めることができる。【選択図】図１
2009254760.tif 000002
【特許請求の範囲】
【請求項１】
碁石部と磁石部とから構成された黒石と白石とからなる磁石付碁石において、黒石と白石のいずれか一方の碁石部の上面中央部に突起を設けたことを特徴とする大盤用磁石付碁石。
【請求項２】
上記突起の形状が半球状又は欠球状であることを特徴とする請求項１に記載される大盤用磁石付碁石。
【請求項３】
上記突起の形状が截頭円錐状であることを特徴とする請求項１に記載される大盤用磁石付碁石。
【請求項４】
黒石を構成する磁石付碁石の碁石部の上面中央部に突起を設けたことを特徴とする請求項１乃至３のいずれか１項に記載される大盤用磁石付碁石。
【請求項５】
黒石を構成する磁石付碁石の磁石部の極性と白石を構成する磁石付碁石の磁石部の極性とを互いに吸引力が強いものとし、黒石同士あるいは白石同士の極性は互いに吸引力が弱いものとしたことを特徴とする請求項１乃至４のいずれか１項に記載される大盤用磁石付碁石。
【発明の詳細な説明】
【技術分野】
【０００１】  この出願の発明は囲碁の大盤と組合わせて用いられる磁石付碁右に関する。
【背景技術】
【０００２】  囲碁は、チェス、チェッカー、将棋等と共に、日本のみならず広く世界各国で親しまれているボードゲームである。囲碁は通常二人で対局して勝敗を競うゲームであって、１台の碁盤と１８１個の黒石と１８０個の白石とにより打ち進められる。碁盤には、足付碁盤、一枚板の碁盤、折畳み碁盤、布製碁盤等、種種の形態のものが存在するが、いずれにしても盤面を地面や床面、或いはテーブルの上面に対して平行に設置し、盤面上の交点に二人で交互に碁石を打つことによりゲームが進行する。盤面上の交点は１９路盤では３６１箇所存在する。これ以外にも１３路盤や９路盤等が存在する。【０００３】  一方、囲碁対局の観戦やその解説を求める要請も強く、また大勢の囲碁愛好者を一堂に集めて囲碁の指導を行うことも多い。このような場合に大盤がよく用いられる。それらの光景は、単にその場だけに留まらずテレビやビデオ等を通して映像の形でも広く一般に提供されている。大盤とはスタンドを用いて地面や床面に対してほぼ直角に立てて、多数の人が遠くからでも碁盤の盤面を見ることができるように工夫された竪型の大きな碁盤である。この大盤を用いて囲碁の対局が行われることは通常ない。【０００４】  このような大盤は通常鋼製の板に碁盤の盤面を描いたものからなっており、磁石付碁石とセットで用いられる。磁石付碁石をスチール製の大盤上に近づければ、碁石は磁力により大盤上の所定位置に吸い付いて、大盤が地面にほぼ垂直であるにも拘わらず、碁石が落下することはない。【０００５】  解説や説明を行う際、当初は黒石と白石とをそれぞれ別の石収納ケースに入れておくのが普通で、黒石を置くときには黒石の石収納ケースから取り出し、白石を置く時には白石の石収納ケースから取出して置くとすると、一々手を伸ばしたり上げ下げする手間が多大となる。また大盤解説を行う場合を例にとれば、大盤上に並べた碁石の碁形を一旦崩して、再度異なった碁形に並べ直す必要性が頻繁に発生する。このような場合、石を１個１個外して黒石は黒石の石収納ケースに戻し、白石は白石の石収納ケースに戻しても良いのではあるが、解説を円滑に進める要請から時間の節約を図ることが求められ、碁形を崩す時には、複数の黒石と白石とを纏めて大盤から外すこととなる。もともと磁石付碁石なので、大盤から取外した碁石同士が白黒の別なく磁石部同士で互いに吸引し合うことが多く、一々互いに引き離して白黒それぞれの石収納ケースに戻すことは、これも時間節約の観点からその余裕がなくなり、碁石収納ケースには、黒の碁石と白の碁石とがどうしても混在することになる。【０００６】  そのような事情のもとで、大盤解説を行う場合は通常、片方の手に数個の碁石を握り、他方の手で黒白の碁石を大盤上に置いてゆき、石が足りなくなれば又数個の碁石を握ってこれを繰り返して解説を進めることが多い。【０００７】  そうすると、黒白交互に打ち進めるのが囲碁の大原則であるにも拘わらず、黒石のつもりで白石を置いてしまったり、白石のつもりで黒石を置いてしまうことが頻繁に発生しその都度石の置き直しが必要となってしまう。勿論、一々碁石の白黒を目視して碁石の白黒を確認判断した上で解説を進行することも考えられるが、これも時間的効率が悪く、解説者や解説補助者への余計な肉体的、精神的負担が大きいと云う問題があった。
【特許文献１】実開昭６３−１９７５７３号公報
【特許文献２】特開昭５７−８６３７２号公報
【特許文献３】実開平６−３４６８０号公報
【発明の開示】
【発明が解決しようとする課題】
【０００８】  本発明は上記実状に鑑みて成し遂げられたものであり、その目的とするところは大盤と磁石付碁石を用いて解説や説明を行うに際して、解説や説明の進行を遅滞なく円滑に行うのに適した大盤用磁石付碁石を提供することにある。
【課題を解決するための手段】
【０００９】  本発明は上記課題を解決するために、黒石と白石のいずれか一方の磁石付碁石の碁石部の上面中央部に突起を設けたことを特徴とする。【００１０】  本発明は更に、黒石と白石のいずれか一方の磁石付碁石の碁石部の上面中央部に設けた突起の形状が、半球状又は欠球状であることを特徴とする。【００１１】  本発明は更に、黒石と白石のいずれか一方の磁石付碁石の碁石部の上面中央部に設けた突起の形状が、截頭円錐状であることを特徴とする。【００１２】  本発明は更に、黒石を構成する磁石付碁五の碁石部の上面中央部に突起を設けたことを特徴とする。【００１３】  本発明は更に、黒石を構成する磁石付碁石の磁石部の極性と白石を構成する磁石付碁石の磁石部の極性とを互いに吸引力が強いものとし、黒石同士あるいは白石同士の極性は互いに吸引力が弱いものとしたことを特徴とする。
【発明の効果】
【００１４】  床面や地面に対してほぼ垂直に立てられた大盤に磁石付碁石を置くに際し、磁石付碁石の上面に親指を当て、底面側を人差指と中指とで支えながら大盤上に置く人が圧倒的に多いのが実状である。人によっては磁石付碁石の両側面を親指と中指とで挟んで支える人もいるが、その場合でも磁石付碁石の上面に人差指を添えることが多い。また、異なる種類の数個の碁石を同時に片方の手で握る場合を考えると、永久磁石の性質からして碁石の磁石部同士が互いに反発する個所を表面に有するにせよ、磁石付碁石の底面側同士が互いに引付け合う構成の永久磁石が多いから、石を握った手の平やこれに添えた他方の手の指に底面側の磁石部が触れる確率よりも、上面側の碁石部が触れる確率の方が高いのである。したがって、片方の手に握られた数個の磁石付碁石から黒又は白の碁石を他方の手も使って探りながら、一々目視により確認しなくても、突起の有無を瞬時に判別して、所望の色の碁石を速やかに探り当てることができるのである。【００１５】  突起の形状は、凸部に限らず凹部でも良い訳であり材料費の節約にもなるが、凸部の方が凹部に比べて触覚に訴える力が強いことは明らかである。更に、突起の形状は基本的に単なる形状の変更の範囲で種種考えられるところ、通常碁石部は合成樹脂製で、成型により量産されることに鑑みれば、半球状又は欠球状とするのが製造上好ましい。また、手や指で磁石付碁石に触れた時の触覚に訴える力を高めるのであれば、円錐形では先端部が針のようなので刺激が強過ぎるから、円錐の頭部をやや平たくした、適宜の形状の截頭円錐形状が好ましい。【００１６】  突起は白石或いは黒石のいずれの碁石に設けても基本的には差し支えないが、黒石に設けた方が観客側から見た時或いはテレビで放映した時に大盤上に置かれた碁石の凹凸が判りにくいという効果が期待できる。又これまで用いた白石、黒石という表現が限定的に用いられている訳でないことは、グリーン碁石等があったり、石を製作する材料やその色が諸々あることを知る者にとっては明々白々であろう。
【発明を実施するための最良の形態】
【００１７】  碁石部と磁石部とから構成された黒石と白石とからなる磁石付碁石において、黒石と白石のいずれか一方の碁石部の上面中央部に突起を設けたことを特徴とする大盤用磁石付碁石。【００１８】  上記突起の形状が半球状又は欠球状であることを特徴とする請求項１に記載される大盤用磁石付碁石。【００１９】  上記突起の形状が截頭円錐状であることを特徴とする請求項１に記載される大盤用磁石付碁石。【００２０】  黒石を構成する磁石付碁石の碁石部の上面中央部に突起を設けたことを特徴とする請求項１乃至３のいずれか１項に記載される大盤用磁石付碁石。【００２１】  黒石を構成する磁石付碁石の磁石部の極性と白石を構成する磁石付碁石の磁石部の極性とを互いに吸引力が強いものとし、黒石同士あるいは白石同士の極性は互いに吸引力が弱いものとしたことを特徴とする請求項１乃至４のいずれか１項に記載される大盤用磁石付碁石。
【実施例】
【００２２】  図１はこの出願の発明の一実施例を示すもので、磁石付碁石を側面から見た図である。磁石付碁石１は碁石部２の下方に設けた凹部に磁石部３がきつく嵌め込まれて一体化されている。この場合接着剤を用いて一体化することもできるし、嵌め込みと接着とを併用することもできる。碁石部２の上面には突起４が一体的に設けられており、この例では半球状又は欠球状である。したがってこの磁石付碁石を手で握った場合、突起が存在することを認識し易くなり、特に指先で触れれば、指先は極めて鋭敏な部位であるから、目視の力を借りなくても突起の存在或いは不存在を誰でも瞬時に知ることができる。この例では、磁石部３の径が碁石部２の径に比して比較的小さな場合を示している。【００２３】  図２は図１の実施例の磁石付碁石を上面から見た図である。碁石部２が円形をなし、半球状又は欠球状の突起４と碁石部２との境が円形をなしていることが分かる。【００２４】  図３はこの出願の発明の他の実施例を示すもので、磁石付碁石１の中央部の縦断面図である。この例の特徴は突起部５の形状が截頭円錐形状である点にある。円錐の頭部を切取った平面が手に触れることにより、半球状又は欠球状の突起に較べて手に与える刺激がより先鋭化するという作用効果が期待できる。この例では、磁石部３の径が図１のものに較べてより大きいものが示されている。磁石部３は碁石部２に外側円筒壁部６と内側円筒壁部７とにより保持されている。圧入による保持方法や接着による保持方法、或いはそれらの併用でも良い。【００２５】  図４は白と黒の磁石付碁石同士が吸引し合っている状態の側面図である。白石の磁石部３と黒石の磁石部３との吸引力が強く、白石の磁石部３同士或いは黒石の磁石部３同士の吸引力が弱くなる磁石極性を選択することができる。勿論、白石の磁石部３同士或いは黒石の磁石部３同士が反発し合う磁石極性の選択をも包含することは自明である。白石と黒石とが互いに磁石部３で吸引し合って、上下にほぼ対称形にセットになる確率が高くなるから、数個の碁石を目視に頼らず無作為に握ったとしても、白石の数と黒石の数との均衡が図られ、例えば握った石が全て黒石或いは全て白石といった不都合を回避することができる。このことは、黒白が交互に進行する囲碁にとって甚だ都合が良い。このような磁石付碁石の特性から派生して、石収納ケースを黒石用と白石用とに分ける必然性が無くなるわけではあるが、解説者と解説補助者の二人が大盤の左右に別れて解説の進行を行うことも考慮して、石収納ケースの二分割を否定するものでは全くない。そして、石収納ケースを白黒共用の１個としても或いはこれまで同様２個としても、白石と黒石とを予め敢えて混在させておくことにより、これまでのように予め白石と黒石とを仕分けする手間を省くという使用方法も可能となり、碁石の個数の管理も容易になる。
【産業上の利用可能性】
【００２６】  この出願の発明は、磁石付碁石の構成を大きく変更することなく、大盤用磁石付碁石の取扱いを大幅に利便化したので、慣れれば慣れるほど目視することなく碁石をスムーズに並べることができ、大盤から目を離す必要が大幅に減少するから、大盤解説を円滑に進めることができて、特に時間的制約が厳しいテレビ放送の解説に用いて有用である。更に、白黒の磁石付碁石が混在していても、或いは積極的に混在させることにより、大盤解説をより円滑に進めることができるという使用法が期待できる。
【図面の簡単な説明】
【００２７】
【図１】この出願の発明の一実施例を示すもので、磁石付碁石を側面から見た図である。
【図２】図１の磁石付碁石を上面から見た図である。
【図３】この出願の発明の他の実施例を示すもので、磁石付碁石の縦断面図である。
【図４】この出願の発明の１使用形態を示すもので、白黒の磁石付碁石が吸引し合っている側面図である。
【符号の説明】
【００２８】  １      磁石付碁石
２      碁石部
３      磁石部
４      突起（半球状、欠球状）
５      突起（截頭円錐状）
６      外側円筒壁部
７      内側円筒壁部
【図１】
2009254760.tif 000003
【図２】
2009254760.tif 000004
【図３】
2009254760.tif 000005
【図４】
2009254760.tif 000006